(57)【要約】本発明は、容器用の取り外し可能な把持装置（１）に関する。この装置は、把持部本体（２）に取り付けられた把持部を形成する２つの部材（３、４）と、変位手段（６）とを有する。把持部を形成する２つの部材（３、４）のうちの１つは、開放位置と閉鎖位置との間を長軸方向に移動可能である。変位手段（６）は可動部材（４）を動かす。本発明において、装置はロック手段（２６）を有している。ロック手段（２６）は、閉鎖位置にある可動部材（４）が離れないようにすることを特徴としている。
2006501880.tif 000002
【特許請求の範囲】
【請求項１】
容器用の取り外し可能な把持装置（１）であって、
把持部を形成する２つの部材（３、４）と、
変位手段（６）と、
作動手段（１６）とを備え、
上記把持部を形成する２つの部材（３、４）は、把持部本体（２）に取り付けられ、
上記把持部を形成する２つの部材（３、４）の１つは、上記把持部本体（２）に対して、上記把持部本体（２）の長軸方向に略平行な方向に沿って、開放位置と閉鎖位置との間を自由に動き、
上記閉鎖位置において、上記把持部を形成する部材（３、４）は、上記容器の縁を把持するように調整されており、
上記変位手段（６）は、上記把持部を形成する部材（３、４）の互いの位置を相対的に変化させるように調整されており、
さらに上記変位手段（６）は、レバー（７）とトランスミッション手段（９）とを有し、
上記レバー（７）は、上記把持部本体（２）に対して、展開位置と引き込み位置との間を自由に回転移動し、
上記引き込み位置では、上記把持部を形成する可動部材（４）は上記閉鎖位置にあり、
上記トランスミッション手段（９）は、上記レバー（７）と上記把持部を形成する可動部材（４）との間を伸張し、上記レバー（７）が旋回する場合に、上記把持部を形成する可動部材（４）を移動させるように調整されており、
上記変位手段（６）は、上記把持部を形成する２つの部材（３、４）の間の距離を、保持する容器の厚さに対して調整し、
ロック手段（２６）は、上記把持部を形成する可動部材（４）が上記閉鎖位置にある場合には、上記把持部を形成する可動部材（４）が離れないようにし、
さらに上記ロック手段（２６）は、ロックピン（２７）を有しており、
上記ロックピン（２７）は、上記変位手段（６）に配されており、上記レバー（７）が上記引き込み位置にある場合にハウジング（２９、３０）の内部に入り込むように設計されていることを特徴とする取り外し可能な把持装置（１）。
【請求項２】
上記ハウジング（２９、３０）は、上記閉鎖位置にある、上記把持部を形成する可動部材（４）の位置に依存した通路部を有することを特徴とする請求項１に記載の取り外し可能な把持装置（１）。
【請求項３】
上記ハウジング（２９、３０）は、
上記把持部本体（２）の内部に形成された凹部（２９）と、
上記把持部を形成する可動部材（４）を貫いて形成されたスロット（３０）とを有することを特徴とする請求項２に記載の取り外し可能な把持装置（１）。
【請求項４】
上記スロット（３０）は、上記把持部を形成する可動部材（４）が上記閉鎖位置にある場合に、上記凹部（２９）に略面する位置にあることを特徴とする請求項３に記載の取り外し可能な把持装置（１）。
【請求項５】
上記ハウジング（２９、３０）の上記通路部は、上記閉鎖位置にある、上記把持部を形成する２つの部材（３、４）が互いに近づいた場合に、より大きくなることを特徴とする請求項２〜４のいずれか１項に記載の取り外し可能な把持装置（１）。
【請求項６】
上記ロックピン（２７）は、上記レバー（７）に配されていることを特徴とする請求項１〜５のいずれか１項に記載の取り外し可能な把持装置（１）。
【請求項７】
上記ロックピン（２７）は、上記レバー（７）に対して自由に移動可能に設けられており、
ロックバネ（３１）は、上記ロックピン（２７）を常に上記ハウジング（２９、３０）の方向へ動かすように作用していることを特徴とする請求項６に記載の取り外し可能な把持装置（１）。
【請求項８】
上記ロックピン（２７）は、上記レバー（７）が上記引き込み位置にある場合に、上記把持部を形成する２つの部材（３、４）の間の距離に関わらず、上記把持部を形成する部材（３、４）に向かって、上記凹部（２９）を形成する壁に寄りかかっていることを特徴とする請求項３または７に記載の取り外し可能な把持装置（１）。
【請求項９】
上記ロックピン（２７）は、
頭部（３２）から底面（３３）に向かって、その裾が広がった形状を有しており、
上記底面（３３）を介して、上記変位手段（６）に連結されていることを特徴とする請求項１〜８のいずれか１項に記載の取り外し可能な把持装置（１）。
【請求項１０】
上記ロックピン（２７）は、上記頭部（３２）と上記底面（３３）とをつなぐ平坦な壁を有することにより、その裾が広がった形状を有していることを特徴とする請求項９に記載の取り外し可能な把持装置（１）。
【請求項１１】
上記ロックピン（２７）は、上記頭部（３２）と上記底面（３３）とをつなぐ、数段からなる階段状の壁を有することにより、その裾が広がった形状を有していることを特徴とする請求項９に記載の取り外し可能な把持装置（１）。
【請求項１２】
上記変位手段（６）の形状は、
上記レバー（７）が上記伸張位置および上記引き込み位置にある場合に、上記レバー（７）は安定な平衡位置にあり、上記レバー（７）は、上記２つの安定な平衡位置のうちの１つから他方へと旋回する際に、中間にある不安定な平衡位置を通過する、
ように設計されていることを特徴とする請求項１〜１１のいずれか１項に記載の取り外し可能な把持装置（１）。
【請求項１３】
バネ（１５）は、上記トランスミッション手段（９）の内部に設けられており、
上記バネ（１５）は、上記可動部材（４）に負荷をかけ、上記把持部を形成する２つの部材（３、４）の間の距離を調整するように設計されていることを特徴とする請求項１〜１２のいずれか１項に記載の取り外し可能な把持装置（１）。
【請求項１４】
上記トランスミッション手段（９）は、上記レバー（７）と上記把持部を形成する可動部材（４）とに対して自由に回転移動する連結ロッド（９）により形成されていることを特徴とする請求項１〜１３のいずれか１項に記載の取り外し可能な把持装置（１）。
【請求項１５】
上記連結ロッド（９）は、上記レバー（７）において軸（１３）の回りを自由に回転移動するように設けられており、
上記軸（１３）は、上記把持部本体（２）に連結された、上記レバー（７）の端部とは反対側の、上記レバー（７）の端部の付近にあることを特徴とする請求項１４に記載の取り外し可能な把持装置（１）。
【請求項１６】
上記レバー（７）の長さは、互いに接触する３つの指の幅に相当することを特徴とする請求項１〜１５のいずれか１項に記載の取り外し可能な把持装置（１）。
【請求項１７】
上記レバー（７）と上記把持部本体（２）との長さは、ユーザが、上記把持装置（１）を手で保持する際に、人差し指と中指とを上記レバー（７）に添え、くすり指と小指とで上記把持部本体（２）を持つように設定されていることを特徴とする請求項１〜１６のいずれか１項に記載の取り外し可能な把持装置（１）。
【発明の詳細な説明】
【発明の詳細な説明】
【０００１】
本発明は、取り外し可能な容器用把持装置に関し、特に、鍋またはフライパン用の取り外し可能なハンドルであり、異なる厚さの容器に適用可能なものに関する。
【０００２】
把持部を形成する２つの部材が把持部本体に設けられているタイプの、容器用の取り外し可能な把持装置は公知である。この公知の把持装置においては、容器を移動させるときに、把持部を形成する部材の１つが、把持部本体に対して、把持部本体の長軸方向にほぼ平行な方向に沿って、開放位置と閉鎖位置との間を自由に動く。上記閉鎖位置においては、把持部を形成する部材は、容器の縁を保持することができる。
【０００３】
また、上記の把持装置は、上記把持部を形成する部材の位置を互いに変えることができる変位手段（deplacement）を含んでいる。上記変位手段は、レバーとトランスミッション手段とを含んでいる。上記レバーは、把持部本体に対して自由に、展開位置と引き込み位置との間を回転移動する。上記引き込み位置では、上記把持部を形成する可動部材は閉鎖位置にある。一方、上記トランスミッション手段は、レバーと把持部を形成する可動部材との間で伸張し、レバーが回転する際に把持部を形成する可動部材を移動させることができる。上記変位手段は、保持する容器の縁の厚さに応じて、把持部を形成する２つの部材の間の距離を調整することができる。
【０００４】
このような取り外し可能な把持装置は、特許出願ＦＲ  ２  ７３９  ７７２号およびＦＲ  ２  ７６８  ９１４号に記載されている。
【０００５】
ＦＲ  ２  ７３９  ７７２号に記載された取り外し可能な把持装置は、ロック手段を有する。このロック手段は、把持部を形成する可動手段が閉鎖位置にある場合に、把持部を形成する可動手段が離れるのを防ぐ。このロック手段は、レバー、および把持部を形成する可動部材上に配された２つのラックにより形成され、この２つのラックは互いに噛合し、把持部を形成する可動部材をその位置に保持する。
【０００６】
しかし、このロック手段の効果は、閉鎖位置にある、把持部を形成する部材の間の距離を調節することに限定されており、上記閉鎖位置において２つのラックは、噛合することにより完全に連携することができるように、相対的に配置されている。換言すると、第１のラックの頂点が、精確に第２のラックの底面にある場合のみ、噛合により連携が行なわれる。さらに、容器の内容物が重い場合には、このラックシステムは、効果的なロック手段にならない。
【０００７】
従って、従来の取り外し可能な把持装置では、閉鎖位置にある把持部を形成する２つの部材間の距離を、保持する容器の厚さに対して調節することは可能であるが、保持する容器の内容物が重い場合、把持部を形成する２つの部材へのレバーの効果を調整できず、結果的に、保持することができる容器の最大の厚さに相当する距離にまで、２つの部材を互いに離してしまう。これにより、（特に、容器の縁が薄い場合）、把持装置から容器が外れてしまい、その結果、ユーザが持ち上げている容器の内容物がこぼれ、ユーザにかかってしまう危険性がある。また、容器がそれまでコンロ上に置かれていた場合には、ユーザがやけどをしてしまう危険性がある。
【０００８】
ここで生じる問題のひとつは、変位手段が設けられ、これにより閉鎖位置にある、把持部を形成する部材の間の距離が、保持する容器の縁の厚さに合わせて調整可能であっても、閉鎖位置にある、把持部を形成する部材を、より厚い縁の容器を保持するように設計された閉鎖位置の方に動かすことができない取り外し可能な把持装置を提供することである。
【０００９】
この問題に対して提案される解決方法は、ロック手段がロックピンを有し、このロックピンは変位手段に設けられており、レバーが引き込み位置にある場合に、上記ロックピンはハウジングの内部に入り込むように設計された上述のタイプの取り外し可能な把持装置を提供することである。
【００１０】
すなわち、閉鎖位置にある、把持装置を形成する２つの部材間の距離を変えることによって、様々な厚さの容器の縁を保持することができる把持装置であって、一度容器の縁を保持したら、ロックピンがハウジングの内部に配置され、把持部を形成する２つの部材が効果的にその位置にロックされるものである。
【００１１】
ひとつの具体的な実施形態によれば、把持装置は軸を有し、この軸の回りにレバーおよびトランスミッション手段が蝶番で留められている。この軸手段は、把持部本体に連結されているレバーの端部とは反対の、レバーの端部の近辺にあり、スリットの中を自由に移動する。このスリットは、トランスミッション部材が把持部を形成する可動部材に連結されている端部とは逆の、トランスミッション手段の端部近辺に設けられている。
【００１２】
この具体的な変位手段の構成により、把持装置は、比較的広範囲の厚さを有する容器の端部をつかむことができる。上記範囲とは０．５ｍｍ〜３．５ｍｍで、スリットの中での軸の移動距離にほぼ相当する。
【００１３】
別の実施形態によれば、レバーおよびトランスミッション手段は短く、これにより、ユーザは常に、くすり指および小指で把持部本体を握ることができ、人差し指および中指はレバーに添えるだけでよく、そのためレバーの移動範囲を狭くすることができる。
【００１４】
別の具体的な配置によれば、つる巻きバネがトランスミッション手段中に設けられ、これがトグル継手機構の弾性手段として用いられる。それゆえに、連結ロッドを形成する重ね板バネを有する従来の把持装置とは異なり、つかむ容器の端部が厚い場合にも損傷を受ける危険性はない。
【００１５】
レバーの移動幅が少ないために、レバーとトランスミッション手段とに垂直の壁を設けることができ、レバーが展開位置にある場合でさえも、機構全体が隠され、汚物が蓄積することを防ぐことができる。
【００１６】
本発明に従って、ロック手段を備えることは、トグル継手機構の弾性手段がコイルバネである装置にとって、とりわけ適切である。コイルバネは、レバーバネよりも弾性は強い反面、把持部を形成する部材によって保持された容器による圧力に対しては抵抗力がより弱く、従って、このコイルバネのみで作用させると、把持部を形成する部材が離れてしまうのを防ぐのが困難になる。
【００１７】
本発明のその他の特徴は、以下の詳細な説明を読めば、明らかになるであろう。
【００１８】
特に限定されない例として示された添付の図面は以下のものである。
図１は、本発明の取り外し可能な把持装置の分解斜視図である。
図２は、取り外し可能な把持装置の長軸方向の断面図であり、把持部を形成する部材は閉鎖位置にある。
図３は、取り外し可能な把持装置の長軸方向の断面図であり、把持部を形成する部材は開放位置にある。
図４は、本発明のロックピンの断面図である。
【００１９】
図１よりわかるように、容器取り外し可能な把持装置（例えば、フライパン用の取り外し可能なハンドル）は、把持部を形成する２つの部材３・４を備えた把持部本体２を含んでいる。
【００２０】
把持部を形成する第１の部材３は、把持部本体２の一方の端部に固定され、把持部を形成する第２の部材４は、把持部本体２に対して、開放位置（図３）と閉鎖位置（図２）との間を自由に移動できるように設置されている。
【００２１】
把持部を形成する可動部材４は、把持端部５を含み、当該把持端部５は、把持部を形成する固定部材３と協調的に働くことができ、把持部を形成する可動部材４が閉鎖位置にある場合に容器の端部をつかむ。
【００２２】
本実施形態では、把持部を形成する固定部材３と、把持部を形成する可動部材４の把持端部５とは、上端部が外側に湾曲することにより短く湾曲した襟部を形成する容器をつかむことができる形状を有する。
【００２３】
開放用バネ１０は、把持部本体２と、把持部を形成する可動部材４の、把持端部５とは逆方向の支持端１１とで支持され、常に、把持部を形成する可動部材４を開放位置へと動かそうとする。
【００２４】
この例では、レバー７がその引き込み位置にある場合には、レバー７は完全に把持部本体２の内部にあり、ユーザはそれを操作できない。
【００２５】
取り外し可能な把持装置１は、変位手段６を有し、この変位手段６は、把持部を形成する可動部材４を、把持部本体２に対して動かすことができる。
【００２６】
上記変位手段６は、レバー７を有している。レバー７は把持部本体２に対して回転軸８の回りを、展開位置(図３)と引き込み位置(図２)との間で、自由に回転できるように装着されている。回転軸８は、把持部本体２の長軸方向に対して垂直であり、把持部を形成する固定部材３と、レバー７の第１端との付近に配されている。
【００２７】
レバー７が展開位置にある場合には、把持部を形成する可動部材４は開放位置にあり、レバー７が引き込み位置にある場合には、把持部を形成する可動部材４は閉鎖位置にある。
【００２８】
変位手段６は、トランスミッション手段９も含み、このトランスミッション手段９は、レバー７と把持部を形成する可動部材４との間で伸張し、かつレバー７が回転した際に、把持部を形成する可動部材４を移動させることができる。
【００２９】
図１から図３に図示される実施形態においては、トランスミッション手段９は連結ロッドであり、変位手段６はトグル継手として配置されている。つまり、変位手段６の形状は、レバー７が展開位置にある場合および引き込み位置にある場合に、安定した平衡位置にあり、２つの安定した平衡位置からもう１つの安定した平衡位置へと移る際に、（変位手段６の平衡線で規定される）不安低な平衡位置を通過するような形状になっている。
【００３０】
把持部を形成する可動部材４に対して、連結ロッド９は、把持部を形成する可動部材４の支持端部１１の付近、かつ、連結ロッド９の第１端の付近において、旋回軸１２の回りを自由に回転する。
【００３１】
連結ロッド９は、レバー７に対して、軸１３の回りを自由に回転する。当該軸１３は、スリット１４の内部を自由に移動する。当該スリット１４は、連結ロッド９の内部に設けられ、当該連結ロッドの長軸方向に伸張し、トグル継手としての役割を維持している。軸１３は不安定な平衡位置と安定した平衡位置との間を自由に動く。上記不安定な平衡位置において、軸１３は、回転軸８と旋回軸１２とによって形成されるトグル継手機構の平衡線上に位置している。一方、上記安定した平衡位置において、レバー７は展開位置（軸１３が、平衡線のいわゆる開放側にある位置）または引き込み位置（軸１３が、平衡線のいわゆる閉鎖側にある位置）にある。
【００３２】
トグル継手のバネ１５は、軸１３を常に、その安定した平衡位置に動かそうとする。
【００３３】
軸１３が平衡線の開放側に位置する場合には、開放用バネ１０は、まず、把持部を形成する可動部材４をその開放位置へ動かそうとし、次に、連結ロッド９を介して、レバー７を展開位置へ動かそうとする。
【００３４】
軸１３が平衡線の閉鎖側に位置する場合には、まず、開放用バネ１０は、レバー７をその引き込み位置へ動かそうとし、まず、レバー７を把持部本体２に寄りかからせ、次に連結ロッド９を把持部を形成する可動部材４に寄りかからせる。トグル継手バネ１５は、開放用バネ１０の方向に非常に近い方向に向けられる。続いて、トグル継手バネ１５は、軸１３を平衡位置へと動かそうとし、開放用バネ１０の存在にも関わらず、把持部を形成する可動部材４を閉鎖位置へ移動させる。
【００３５】
ユーザが容器の縁をつかもうとする際、ユーザはその縁を、把持部を形成する固定部材３と、開放位置にある、把持部を形成する可動部材４の把持端部５との間に配置し、レバー７を展開位置から引き込み位置へと回転させる。レバー７を回転させると、連結ロッド９が回転し、把持部を形成する可動部材４が移動し、そして軸１３がトグル継手機構の平衡線を越え、これにより容器の縁を安定してつかむことができる。
【００３６】
軸１３がスリット１４の中を自由に動くことができるので、閉鎖位置にある、把持部を形成する可動部材４の把持端部５と、把持部を形成する固定部材３との間の距離を調整することができ、容器の縁の厚さに合わせることができる。
【００３７】
閉鎖位置にある、把持部を形成する可動部材４の把持端部５と、把持部を形成する固定部材３との間の距離の範囲は、スリット１４内の軸１３の移動幅よりも明らかに小さいので、軸１３は平衡線を越えて安定的に把持を行なうことができる。
【００３８】
図１から図３に示された実施形態によれば、軸１３は、回転軸８の付近にあるレバー７の第１端部とは反対側の、レバー７の第２端部に位置付けられる。スリット１４は、旋回軸１２付近の第１端部とは反対側の、連結ロッド９の第２端部付近に設けられている。軸１３は、トグル継手バネ１５によって作動され、このトグル継手バネ１５は、連結ロッド９の第２端部に最も近いスリット１４の長軸方向の端部に向かって上記軸を動かそうとする。
【００３９】
変位手段６のこの特別な配置により、把持装置１は信頼性高く容器の縁を把持することができ、容器の縁の厚さは、比較的大きい範囲で変動可能である（０．５ｃｍ〜３．５ｃｍ）。
【００４０】
さらに、連結ロッド９の内部で、トグル継手バネ１５として作用するつる巻きバネを使用することにより、つかむことができる容器の縁の厚さの幅を大きく保ったままで、迅速締め付け機構が損傷をうける危険性を排除することができる。
【００４１】
さらに、把持装置１を容易に把持可能なものにするために、レバー７が展開位置にある場合でも、レバー７の長さはより短くなっており、把持装置１を握るユーザは、人差し指および中指をレバー７に添えて、くすり指および小指で把持部本体を握ることができる。これにより、ユーザは、人差し指および中指での把持からレバー７を解放しつつ、くすり指と小指とで把持部本体２を保持し続けることができる。典型的には、レバーの長さは、互いに接触している３つの指の幅に相当する（または、回転軸８から約７ｃｍ、または把持部本体２の外側を旋回するレバーの部分から約６ｃｍである。）。
【００４２】
さらに、より短い連結ロッド９を使用することにより、レバーの移動幅を小さくすることができ、レバー７が展開位置にある場合でも、把持装置１を容易に保持することができる。
【００４３】
上述のように、レバー７が展開位置から引き込み位置に動いた場合、および、その逆の場合に、ユーザは握り手を変える必要がない。
【００４４】
利点として、レバー７と連結ロッド９とは、垂直の壁を含んでおり、レバー７が展開位置にある場合でも、その機構アッセンブリを覆って汚物が蓄積しないように保護していることが挙げられる。
【００４５】
本発明によれば、取り外し可能な把持装置１は、ロック手段２６を有する。ロック手段２６は閉鎖位置にある、把持部を形成する可動部材４が離れないようにする。
【００４６】
図１から図３で図示される例では、ロック手段２６は、ロックピン２７を含み、このロックピン２７はレバー７に取り付けられ、レバー７が引き込み位置にある場合に、通路部（section de passage）を有するハウジングに入り込む。この通路部は、閉鎖位置にある、把持部を形成する可動手段４の位置に依存しており、従って、保持する容器の縁の厚さに依存している。
【００４７】
ハウジングは、把持部本体に形成された凹部２９と、把持部を形成する可動部材４を貫通して形成されたスロット３０とを有する。このスロット３０は、把持部を形成する可動部材４が閉鎖位置にある場合に、ほぼ凹部２９に面する位置にある。
【００４８】
従って、ハウジングの通路部は、凹部２９の通路部に面するスロット３０の通路部の一部に対応する。さらに、保持する容器の縁が薄くなれば、把持部を形成する可動部材４が閉鎖位置にある場合に、ハウジングの通路部は広くなる。
【００４９】
ロックピン２７は、レバー７に対して自由に動くように配されており、ロックバネ３１は、常にハウジングの方向にレバー７を動かそうとする。ロックピン２７の先は、その頭部３２からその底部３３に向かって外見上細くなり、ロックピン２７は、その底部３３から、ロックバネ３１を介してレバー７に連結されている。
【００５０】
ユーザが、レバー７を引き込み位置の方向へ動かして、容器の縁を保持する際には、レバー７に連結されたロックピン２７は、把持部を形成する可動部材４の方向へ引かれる。
【００５１】
レバー７が引き込み位置にある場合に、把持部を形成する可動部材４は、保持する容器の縁の厚さに応じた閉鎖位置にある。ロックバネ３１の作用により、ロックピン２７は一部ハウジング内へ入り込む。つまり頭部３２から、ハウジングの部分に対応する部分を有するロックピン２７の領域までがハウジングに入り込む。ロックピン２７はロックバネ３１によりハウジングの通路部の周囲に付勢される。従って、閉鎖位置にある把持部を形成する可動部材４が、より大きい通路部を有するハウジングの方向へ、すなわち、より厚い縁を有する容器を保持するための閉鎖位置の方向へ、スライドすることが防止される。
【００５２】
さらに、レバー７が引き込み位置にある場合に、開放用バネ１０により把持部を形成する可動部材４に対してかかる圧力のためにロックピン２７が傾くのを防ぐために、ロックピン２７は、壁５０に寄りかかる。この壁５０は、把持部を形成する部材３・４の間の距離に関わらず、把持部を形成する部材３・４の方向において凹部２９の形状を限定している。これにより、ロックピン２７は、「まっすぐ」の状態を保ち、把持部を形成する可動部材４は動かないように固定される。
【００５３】
図２および図３により図示される実施形態においては、ロックピン２７は、頭部３２と底面３３との間の平坦な壁５１により、裾が広がった形状をしている。これにより、ハウジングの通路部は、その大きさに関わらず固定される。
【００５４】
図４において示される実施形態によれば、ロックピン２７は、いくつかの段５３からなる階段状の壁５２により、裾が広がった形状をしており、階段状の壁５２は、頭部３２と底面３３とをつないでいる。この実施形態によれば、段５３は、把持部を形成する可動部材４の移動方向と垂直な方向に配置されるので、ロックピン２７は、この部材によって損傷を受けることはほとんどない。
【００５５】
それゆえ、このロック手段２６は、閉鎖位置にある、把持部を形成する部材が離れるのを防ぐ。特に、容器の内容物の重さによる（特に、容器の縁が薄い場合には、）レバー効果により把持部を形成する部材が離れるのを防ぐ。
【００５６】
さらに、取り外し可能な把持装置１は、作動手段１６を有する。当該作動手段１６は、把持部本体２において、把持部本体２の長軸方向に略平行な方向に沿って自由に動くように配されている。
【００５７】
作動手段１６は、静止位置と作動位置との間を自由に動き、作動位置においては、作動手段１６はレバー７を引き込み位置から展開位置へと動かす。
【００５８】
把持部本体２および作動手段１６により支えられている復帰バネ１７のなどの復帰手段によって、作動手段１６は常に静止位置へ付勢される。
【００５９】
図１および図２よりわかるように、レバー７は支持面１９を有し、作動手段１６は傾斜面１８を形成する部材を有している。傾斜面１８は、レバー７が引き込み位置にあり、かつ、作動手段１６が作動位置にある場合に、支持面１９に接して停止するように調整されている。
【００６０】
さらに、作動手段１６は、作動ボタン２０を有する。当該作動ボタン（２０）は、レバー７が固定されている面と反対の面において、取り外し可能な把持装置１の面から突出しており、ユーザが手動で操作可能である。
【００６１】
把持部を形成する可動部材４は、スロット２１を有し、当該スロット２１を通って作動ボタン２０が傾斜面１８に固定され、（作動ボタン２０と傾斜面１８とは、把持部を形成する可動部材４の両側に位置している）、把持部を形成する可動部材４の動きは、作動手段１６により妨げられず、作動手段１６の動きは把持部を形成する可動部材４によって妨げられない。
【００６２】
ユーザが、レバー７を引き込み位置から展開位置へと動かし、容器を把持部を形成する部材３・４から解放したい場合は、作動ボタン２０を用いて、作動手段１６を作動位置まで動かす。作動ボタン２０を用いることにより、ユーザは、装置を握り変える必要なく、具体的には単に親指を用いて、作動手段１６を操作できる。
【００６３】
もちろん、本発明は、上述で詳細に説明した実施形態に限定されるものではない。
【００６４】
例えば、トランスミッション手段が連結ロッドではない取り外し可能な把持装置を作ることは可能である。
【００６５】
ロックピンを、レバーではなく、連結ロッド（または、これ以外のトランスミッション手段）に取り付けることも可能である。
【００６６】
また、以下のような取り外し可能な把持装置を作ることも可能である。すなわち、把持部を形成する２つの部材と、変位手段と、ロック手段とを備え、上記把持部を形成する２つの部材は、把持部本体に取り付けられ、上記把持部を形成する２つの部材の１つは、上記把持部本体に対して、上記把持部本体の長軸方向に略平行な方向に沿って、開放位置と閉鎖位置との間を自由に動き、上記閉鎖位置において、上記把持部を形成する部材は、上記容器の縁を把持するように調整されており、上記変位手段は、上記把持部を形成する部材の互いの位置を相対的に変化させるように調整されており、さらに上記変位手段は、レバーとトランスミッション手段とを有し、上記レバーは、上記把持部本体に対して、展開位置と引き込み位置との間を自由に回転移動し、上記引き込み位置では、上記把持部を形成する可動部材は上記閉鎖位置にあり、上記トランスミッション手段は、上記レバーと上記把持部を形成する可動部材との間を伸張し、上記レバーが旋回する場合に、上記把持部を形成する可動部材を移動させるように調整されており、レバーが短く、すなわち、把持部本体をレバーの内側で少なくとも小指とくすり指とを用いて握ることができ、レバーが展開位置にある場合であれ、引き込み位置にある場合であるかに関わらず、握り方を変える必要がないことを特徴とする取り外し可能な把持装置も可能である。好ましくは、連結ロッドなどのトランスミッション手段は、レバーが把持部本体に蝶番で取り付けられている端部と反対側のレバーの端部に蝶番で取り付けられていることが好ましい。明らかに、この種の把持装置は、本明細書で述べた具体的な特徴を有することができる。
【図面の簡単な説明】
【００６７】
【図１】本発明の取り外し可能な把持装置の分解斜視図である。
【図２】取り外し可能な把持装置の長軸方向の断面図である。
【図３】取り外し可能な把持装置の長軸方向の断面図である。
【図４】本発明のロックピンの断面図である。
【図１】
2006501880.tif 000003
【図４】
2006501880.tif 000004
【図２】
2006501880.tif 000005
【図３】
2006501880.tif 000006
【手続補正書】
【提出日】平成16年5月7日(2004.5.7)
【手続補正１】
【補正対象書類名】特許請求の範囲
【補正対象項目名】全文
【補正方法】変更
【補正の内容】
【特許請求の範囲】
【請求項１】
容器用の取り外し可能な把持装置（１）であって、
把持部を形成する２つの部材（３、４）と、
変位手段（６）と、
作動手段（１６）とを備え、
上記把持部を形成する２つの部材（３、４）は、把持部本体（２）に取り付けられ、
上記把持部を形成する２つの部材（３、４）の１つは、上記把持部本体（２）に対して、上記把持部本体（２）の長軸方向に略平行な方向に沿って、開放位置と閉鎖位置との間を自由に動き、
上記閉鎖位置において、上記把持部を形成する部材（３、４）は、上記容器の縁を把持するように調整されており、
上記変位手段（６）は、上記把持部を形成する部材（３、４）の互いの位置を相対的に変化させるように調整されており、
さらに上記変位手段（６）は、レバー（７）とトランスミッション手段（９）とを有し、
上記レバー（７）は、上記把持部本体（２）に対して、展開位置と引き込み位置との間を自由に回転移動し、
上記引き込み位置では、上記把持部を形成する可動部材（４）は上記閉鎖位置にあり、
上記トランスミッション手段（９）は、上記レバー（７）と上記把持部を形成する可動部材（４）との間を伸張し、上記レバー（７）が旋回する場合に、上記把持部を形成する可動部材（４）を移動させるように調整されており、
上記変位手段（６）は、上記レバー（７）がその引き込み位置にある場合に、上記閉鎖位置にある、上記把持部を形成する２つの部材（３、４）の間の距離を、保持する容器の厚さに対して調整し、
ロック手段（２６）は、上記把持部を形成する可動部材（４）が上記閉鎖位置にある場合には、上記把持部を形成する可動部材（４）が離れないようにし、
さらに上記ロック手段（２６）は、ロックピン（２７）を有しており、
上記ロックピン（２７）は、上記変位手段（６）に配されており、上記レバー（７）が上記引き込み位置にある場合にハウジング（２９、３０）の内部に入り込むように設計されていることを特徴とする取り外し可能な把持装置（１）。
【請求項２】
上記ハウジング（２９、３０）は、上記閉鎖位置にある、上記把持部を形成する可動部材（４）の位置に依存した通路部を有することを特徴とする請求項１に記載の取り外し可能な把持装置（１）。
【請求項３】
上記ハウジング（２９、３０）は、
上記把持部本体（２）の内部に形成された凹部（２９）と、
上記把持部を形成する可動部材（４）を貫いて形成されたスロット（３０）とを有することを特徴とする請求項２に記載の取り外し可能な把持装置（１）。
【請求項４】
上記スロット（３０）は、上記把持部を形成する可動部材（４）が上記閉鎖位置にある場合に、上記凹部（２９）に略面する位置にあることを特徴とする請求項３に記載の取り外し可能な把持装置（１）。
【請求項５】
上記ハウジング（２９、３０）の上記通路部は、上記閉鎖位置にある、上記把持部を形成する２つの部材（３、４）が互いに近づいた場合に、より大きくなることを特徴とする請求項２〜４のいずれか１項に記載の取り外し可能な把持装置（１）。
【請求項６】
上記ロックピン（２７）は、上記レバー（７）に配されていることを特徴とする請求項１〜５のいずれか１項に記載の取り外し可能な把持装置（１）。
【請求項７】
上記ロックピン（２７）は、上記レバー（７）に対して自由に移動可能に設けられており、
ロックバネ（３１）は、上記ロックピン（２７）を常に上記ハウジング（２９、３０）の方向へ動かすように作用していることを特徴とする請求項６に記載の取り外し可能な把持装置（１）。
【請求項８】
上記ロックピン（２７）は、上記レバー（７）が上記引き込み位置にある場合に、上記把持部を形成する２つの部材（３、４）の間の距離に関わらず、上記把持部を形成する部材（３、４）に向かって、上記凹部（２９）を形成する壁に寄りかかっていることを特徴とする請求項３または７に記載の取り外し可能な把持装置（１）。
【請求項９】
上記ロックピン（２７）は、
頭部（３２）から底面（３３）に向かって、その裾が広がった形状を有しており、
上記底面（３３）を介して、上記変位手段（６）に連結されていることを特徴とする請求項１〜８のいずれか１項に記載の取り外し可能な把持装置（１）。
【請求項１０】
上記ロックピン（２７）は、上記頭部（３２）と上記底面（３３）とをつなぐ平坦な壁を有することにより、その裾が広がった形状を有していることを特徴とする請求項９に記載の取り外し可能な把持装置（１）。
【請求項１１】
上記ロックピン（２７）は、上記頭部（３２）と上記底面（３３）とをつなぐ、数段からなる階段状の壁を有することにより、その裾が広がった形状を有していることを特徴とする請求項９に記載の取り外し可能な把持装置（１）。
【請求項１２】
上記変位手段（６）の形状は、
上記レバー（７）が上記伸張位置および上記引き込み位置にある場合に、上記レバー（７）は安定な平衡位置にあり、上記レバー（７）は、上記２つの安定な平衡位置のうちの１つから他方へと旋回する際に、中間にある不安定な平衡位置を通過する、
ように設計されていることを特徴とする請求項１〜１１のいずれか１項に記載の取り外し可能な把持装置（１）。
【請求項１３】
バネ（１５）は、上記トランスミッション手段（９）の内部に設けられており、
上記バネ（１５）は、上記可動部材（４）に負荷をかけ、上記把持部を形成する２つの部材（３、４）の間の距離を調整するように設計されていることを特徴とする請求項１〜１２のいずれか１項に記載の取り外し可能な把持装置（１）。
【請求項１４】
上記トランスミッション手段（９）は、上記レバー（７）と上記把持部を形成する可動部材（４）とに対して自由に回転移動する連結ロッド（９）により形成されていることを特徴とする請求項１〜１３のいずれか１項に記載の取り外し可能な把持装置（１）。
【請求項１５】
上記連結ロッド（９）は、上記レバー（７）において軸（１３）の回りを自由に回転移動するように設けられており、
上記軸（１３）は、上記把持部本体（２）に連結された、上記レバー（７）の端部とは反対側の、上記レバー（７）の端部の付近にあることを特徴とする請求項１４に記載の取り外し可能な把持装置（１）。
【請求項１６】
上記レバー（７）の長さは、互いに接触する３つの指の幅に相当することを特徴とする請求項１〜１５のいずれか１項に記載の取り外し可能な把持装置（１）。
【請求項１７】
上記レバー（７）と上記把持部本体（２）との長さは、ユーザが、上記把持装置（１）を手で保持する際に、人差し指と中指とを上記レバー（７）に添え、くすり指と小指とで上記把持部本体（２）を持つように設定されていることを特徴とする請求項１〜１６のいずれか１項に記載の取り外し可能な把持装置（１）。
【国際調査報告】
2006501880.tif 000007
2006501880.tif 000008
2006501880.tif 000009
2006501880.tif 000010
2006501880.tif 000011
2006501880.tif 000012